(57)【特許請求の範囲】
【請求項１】
下部よりも上部が拡径された擂り鉢状をなした回転体を回転させてナノミストを発生させるナノミスト発生装置の回転体構造であって、  前記回転体は、前記下部が貯水槽の水に浸漬され、前記上部にミスト飛散口が配設され、  前記ナノミスト発生装置は、前記回転体を回転させて当該回転体の内壁に沿って前記水を汲みあげて前記ミスト飛散口から飛散してナノミストを発生させ、  前記ミスト飛散口の上端高さにおける内壁半径を上部半径Ｒ１とし、  前記貯水槽の水に浸漬された喫水線の高さから前記ミスト飛散口の上端高さまでの高さを汲み上げ高さＨとし、  この汲み上げ高さＨの範囲内において前記内壁が水平線とのなす平均角度を側面平均角度θ１として、    −Ｒ１ｓｉｎ３θ＋２Ｈｃｏｓθｓｉｎ２θ＋Ｈｃｏｓ３θ＝０である基本構造方程式を満たすθに対して、  前記側面平均角度θ１がθ±５％以内に設定されていることを特徴とするナノミスト発生装置の回転体構造。
【請求項２】
前記側面平均角度θ１は、前記喫水線と前記内壁との交点を下部内壁点とし、前記上端高さにおける内壁点を上部内壁点とし、  前記下部内壁点と前記上部内壁点とを結ぶ直線が水平線とのなす角度とすること、  を特徴とする請求項１に記載のナノミスト発生装置の回転体構造。
【請求項３】
前記側面平均角度θ１が５０度≦θ＜８０度の範囲に設定されていることを特徴とする請求項１または請求項２に記載のナノミスト発生装置の回転体構造。
【請求項４】
前記内壁は、正面断面視で直線状に延びるテーパ形状からなることを特徴とする請求項１に記載のナノミスト発生装置の回転体構造。
【請求項５】
前記内壁は、正面断面視で外側に膨らんだ曲面形状をなしていることを特徴とする請求項１に記載のナノミスト発生装置の回転体構造。
【請求項６】
前記喫水線の高さが予め設定された下限値と上限値の間で変動するように制御されている場合には、前記下限値以上で前記上限値以下の数値を前記喫水線の高さとすること、  を特徴とする請求項１に記載のナノミスト発生装置の回転体構造。
【発明の詳細な説明】
【技術分野】
【０００１】  本発明は、ナノミスト発生装置の回転体構造に係り、特に、ナノミスト発生装置の回転体構造における側面平均角度の設定に関する。
【背景技術】
【０００２】  従来、貯水槽の水を回転体の遠心力を利用して汲みあげて、ナノミスト（微細水滴）や負イオンを発生させるナノミスト発生装置が知られている（例えば、特許文献１、２）。【０００３】  特許文献１と特許文献２に記載されたナノミスト発生装置は、擂り鉢状の回転体の下部を貯水部に水没させた状態で回転させることで、貯水部の水をくみ上げて複数の細孔から水を飛散させて水の粒子を微細化したナノミストを発生させる。【０００４】  また、特許文献２に記載されたナノミスト発生装置では、貯水部に貯められた水の水位を検出して低水位から高水位の間で制御できるようになっている。
【先行技術文献】
【特許文献】
【０００５】
【特許文献１】特開２０１０−１２１６７号公報（請求項１、段落００１１〜００１８、図２、図３参照）
【特許文献２】特開２０１１−２５２６９２号公報（請求項１、段落０００９〜００１４、図１参照）
【発明の概要】
【発明が解決しようとする課題】
【０００６】  しかしながら、従来、貯水槽の水の汲み上げ量について回転体の内壁の傾斜角度が最適化されているかどうかを判断する基準がないので、ナノミストと負イオンの発生量が最大となるように試作と試験を繰り返して設計を行っていた。そのためナノミスト発生装置の用途や仕様が異なる製品ごとに回転体の内壁の傾斜角度を最適化するための試作と試験を繰り返さなければならないという問題があった。【０００７】  一方、近時、ナノミスト発生装置を搭載する製品が多様化し、個性を表現するためにデザイン性も重視されるため、回転体のサイズやスペース性も考慮しなければならないことから、設計の自由度が制約される中で、効率よく回転体の内壁の傾斜角度を最適化することが望まれる。【０００８】  本発明は、このような背景に鑑みてなされたものであり、回転体の側面平均角度を適正に設定して、ナノミストと負イオンの発生量を極大化することができるナノミスト発生装置の回転体構造を提供することを課題とする。
【課題を解決するための手段】
【０００９】  前記課題を解決するため、請求範囲第１項に係る発明は、下部よりも上部が拡径された擂り鉢状をなした回転体を回転させてナノミストを発生させるナノミスト発生装置の回転体構造であって、前記回転体は、前記下部が貯水槽の水に浸漬され、前記上部にミスト飛散口が配設され、前記ナノミスト発生装置は、前記回転体を回転させて当該回転体の内壁に沿って前記水を汲みあげて前記ミスト飛散口から飛散してナノミストを発生させ、前記ミスト飛散口の上端高さにおける内壁半径を上部半径Ｒ１とし、前記貯水槽の水に浸漬された喫水線の高さから前記ミスト飛散口の上端高さまでの高さを汲み上げ高さＨとし、この汲み上げ高さＨの範囲内において前記内壁が水平線とのなす平均角度を側面平均角度θ１として、−Ｒ１ｓｉｎ３θ＋２Ｈｃｏｓθｓｉｎ２θ＋Ｈｃｏｓ３θ＝０である基本構造方程式を満たすθに対して、前記側面平均角度θ１がθ±５％以内に設定されていることを特徴とする。【００１０】〈基本構造方程式の導出〉  本発明におけるナノミスト発生装置は、図５に示すように、回転体の回転による遠心力加速度αに起因する水の壁面上昇加速度α１（回転体の内壁面を上昇する水の加速度）を判断基準として側面平均角度θ１を設定する。本発明におけるナノミスト発生装置は、回転体の遠心力加速度αを利用して水を汲み上げるため、壁面上昇加速度α１を極大にすることで、水の汲み上げ量を極大にしてナノミストおよび負イオンの発生量を極大にすることができる。壁面上昇加速度α１は、回転体の内壁半径Ｒと壁面角度θ、および角速度ωから求めることができる。      壁面上昇加速度α１＝Ｒω２ｃｏｓθ【００１１】  この式において、回転体の形状に起因する因子は、回転体の内壁半径Ｒと壁面角度θであるから、Ｒｃｏｓθ（「壁面上昇加速度単位」という。）の値に着目する。つまり、水の汲み上げ量を極大（最大）にするには、壁面上昇加速度を極大にすればよく、そのためには壁面上昇加速度単位を極大にすればよい。【００１２】  本発明において、前記ミスト飛散口の上端高さにおける前記内壁半径を上部半径Ｒ１とし、前記貯水槽の水に浸漬された喫水線の高さから前記ミスト飛散口の上端高さまでの高さを汲み上げ高さＨとし、前記内壁が水平線とのなす平均角度を側面平均角度θ１とすると、喫水線の高さにおける前記内壁半径を下部半径Ｒ２は、    下部半径Ｒ２＝Ｒ１−Ｈ／ｔａｎθ    と表すことができる。【００１３】  喫水線の高さにおける壁面上昇加速度単位は、以下のように表すことができる。      Ｒ２ｃｏｓθ＝Ｒ１ｃｏｓθ−Ｈｃｏｓ２θ／ｓｉｎθ      ｆ（θ）＝Ｒ１ｃｏｓθ−Ｈｃｏｓ２θ／ｓｉｎθ    と置く。  この式は、上部半径Ｒ１と汲み上げ高さＨをデザイン性や設計仕様等の別の考え方により既知とすると、θに関する１変数関数とみなすことができる。【００１４】  なお、概念を平易にするため便宜上、喫水線の高さにおける下部半径Ｒ２を使用して壁面上昇加速度単位を導出したが、喫水線の高さではなく所定の高さにおける内壁半径を使用しても同様に壁面上昇加速度単位を導出することができる。【００１５】  θの極大値を求めるために、ｆ′（θ）＝０とおくと、  ｆ′（θ）＝−Ｒ１ｓｉｎθ−Ｈ（−２ｃｏｓθｓｉｎ２θ＋ｃｏｓ３θ���／ｓｉｎ２θより、      −Ｒ１ｓｉｎ３θ＋２Ｈｃｏｓθｓｉｎ２θ＋Ｈｃｏｓ３θ＝０  この式を側面角度に関する基本構造方程式という。【００１６】  このようにして、本発明に係るナノミスト発生装置の回転体構造は、側面平均角度θの基準値を設定する基本構造方程式を求めたことで、水の汲み上げ量を極大にする側面平均角度を適正に設定して、確実にナノミストと負イオンの発生量を極大化することができる。【００１７】  本発明の請求範囲第２項に係る発明は、請求範囲第１項に記載のナノミスト発生装置の回転体構造であって、前記側面平均角度θ１は、前記喫水線と前記内壁との交点を下部内壁点とし、前記上端高さにおける内壁点を上部内壁点とし、前記下部内壁点と前記上部内壁点とを結ぶ直線が水平線とのなす角度とすること、を特徴とする。【００１８】  本発明において、側面平均角度θ１は、前記下部内壁点と前記上部内壁点とを結ぶ直線が水平線とのなす角度とすることができる。【００１９】  本発明の請求範囲第３項に係る発明は、請求範囲第１項または請求範囲第２項に記載のナノミスト発生装置の回転体構造であって、前記側面平均角度θ１が５０度≦θ＜８０度の範囲に設定されていることを特徴とする。【００２０】  本発明において、前記上部半径Ｒ１（例えば、３３ｍｍ）および前記汲み上げ高さＨ（例えば、６１ｍｍ）について、最適な側面平均角度θ１を基本構造方程式から求めると７５．７度であり、実験結果とも合致するため、側面平均角度θ１の適正範囲の基準を設定したものである。【００２１】  本発明の請求範囲第４項に係る発明は、請求範囲第１項に記載のナノミスト発生装置の回転体構造であって、前記内壁は、正面断面視で直線状に延びるテーパ形状からなることを特徴とする。【００２２】  本発明は、回転体を正面断面視で直線状に延びるテーパ形状とすることで、汲み上げ高さの範囲内において壁面上昇加速度を極大値付近で保持することができるため、水の汲み上げ量を極大値付近で安定して保持することができる。【００２３】  本発明の請求範囲第５項に係る発明は、請求範囲第１項に記載のナノミスト発生装置の回転体構造であって、前記内壁は、正面断面視で外側に膨らんだ曲面形状をなしていることを特徴とする。【００２４】  本発明は、回転体を正面断面視で外側に膨らんだ曲面形状とすることで、汲み上げ高さの範囲内において下部では内壁の側面角度を小さくして、上部に向かうにつれて徐々に大きくなる。本発明は、実験の結果、回転体を正面断面視で外側に膨らんだ曲面形状とすることで、テーパ形状とした場合よりも負イオンの発生量をより増大させることを確認することができた。【００２５】  本発明の請求範囲第６項に係る発明は、請求範囲第１項に記載のナノミスト発生装置の回転体構造であって、前記喫水線の高さが予め設定された下限値と上限値の間で変動するように制御されている場合には、前記下限値以上で前記上限値以下の数値を前記喫水線の高さとすること、を特徴とする。【００２６】  本発明は、喫水線の高さが変動するタイプのナノミスト発生装置の回転体構造にも適用でき、そのような場合には前記下限値以上で前記上限値以下の数値を前記喫水線の高さとすることができる。
【発明の効果】
【００２７】  本発明に係るナノミスト発生装置の回転体構造は、回転体の側面平均角度を適正に設定して、ナノミストと負イオンの発生量を極大化することができる。
【図面の簡単な説明】
【００２８】
【図１】本発明の第１の実施形態に係る回転体の外観を示す斜視図である。
【図２】本発明の第１の実施形態に係るナノミスト発生装置の回転体構造を示す正面断面図である。
【図３】本発明の回転体構造における側面平均角度および喫水線を説明するための模式的な正面図である。
【図４】本発明の第２の実施形態に係るナノミスト発生装置の回転体構造を示す正面断面図である。
【図５】本発明の回転体構造における基本構造方程式を導出する過程を示す。
【図６】本発明の実施形態に係る回転体構造における加湿量と側面平均角度との関係を示すグラフであり、（ａ）はテーパ形状にした場合、（ｂ）は曲面形状にした場合である。
【図７】本発明の実施形態に係る回転体構造における負イオン量と側面平均角度との関係を示すグラフであり、（ａ）はミスト飛散口（穴）の総面積を９０ｍｍ２にした場合、（ｂ）は曲ミスト飛散口の総面積を１３０ｍｍ２にした場合である。
【図８】本発明の回転体構造における喫水線の概念を示す模式的正面図であり、（ａ）は水位固定タイプの喫水線の概念を示し、（ｂ）は水位変動タイプの喫水線の概念を示す。
【発明を実施するための形態】
【００２９】  本発明の第１の実施形態に係るナノミスト発生装置１０Ａの回転体構造１Ａについて適宜図１と図２を参照しながら詳細に説明する。  ナノミスト発生装置１０Ａは、図１に示すように、下部よりも上部が拡径された擂り鉢状をなした回転体２Ａと、回転体２Ａを回転させるモータ３と、回転体２Ａで汲みあげる水Ｗを貯めた貯水槽４（図２参照）と、を備え、回転体２Ａを回転させてナノミストと負イオンを発生させる。ナノミスト発生装置１０Ａは、極めて微小なミストを生成することで爽やかさを保ちながら保湿し、負イオンによって除菌効果やリラックス効果があるので、健康増進のために愛用される。
【００３０】  回転体２Ａは、図２に示すように、下部よりも上部が拡径された擂り鉢状をなし、内壁２１Ａが正面断面視で直線状に延びるテーパ形状をなしている。回転体２Ａは、下部が貯水槽４の水Ｗに浸漬され、上部にミスト飛散口２２が配設されている。ミスト飛散口２２の周囲には、ミスト飛散口２２から飛散されたミストをさらに微細化して負イオンを発生させるスリットや金網等からなる多孔体２３が配設されている。
【００３１】  かかる構成により、ナノミスト発生装置１０Ａは、回転体２Ａを回転させて回転体２Ａの内壁２１Ａに沿って貯水槽４に貯えられた水Ｗを汲みあげてミスト飛散口２２から飛散するとともに、多孔体２３に衝突させて破砕することでナノミストと負イオンを効果的に発生させる。
【００３２】  本発明の実施形態に係るナノミスト発生装置１０Ａの回転体構造１Ａは、ミスト飛散口２２の上端高さにおける内壁半径Ｒを上部半径Ｒ１とし、貯水槽４の水Ｗに浸漬された喫水線Ｌの高さからミスト飛散口２２の上端高さまでの高さを汲み上げ高さＨとし、この汲み上げ高さＨの範囲内において内壁２１が水平線とのなす角度を側面平均角度θ１として、      −Ｒ１ｓｉｎ３θ＋２Ｈｃｏｓθｓｉｎ２θ＋Ｈｃｏｓ３θ＝０である基本構造方程式を満たすθに対して、側面平均角度θ１をθ±５％以内に設定すれば、水の汲み上げ量を極大にする側面平均角度θ１を適正に設定することができるため、ナノミストと負イオンの発生量を極大化することができる。
【００３３】  例えば、設計仕様であるナノミスト発生装置１０の大きさや既知である回転体２の形状等から設定される回転体２の形状により上部半径Ｒ１が定められ、回転体２の下端からミスト飛散口２２の上端までの高さから貯水槽４の水を汲み上げるために必要な回転体２下端の水没部分の所定高さを差し引いた設計汲み上げ高さＨ′が定められ、この設計汲み上げ高さＨ′の位置と喫水線Ｌとが一致するよう回転体２を貯水槽４内に配置されている場合には、側面平均角度θ１は以下のように設定することができる。なお、設計汲み上げ高さＨ′は喫水線Ｌからミスト飛散口２２までの高さである汲み上げ高さＨと一致するので、以後では汲み上げ高さＨに統一して説明する。
【００３４】  すなわち、ナノミスト発生装置１０の大きさや既知である回転体２の形状等からナノミスト発生装置１０における回転体２の形状に係る数値として、上部半径Ｒ１が３３ｍｍに設定され、汲み上げ高さＨが６１ｍｍに設定されている場合には、基本構造方程式を満たす側面平均角度θは、７５．７度である。
【００３５】  したがって、θ＝７５．７度は、側面上昇加速度が極大値となり、水の汲み上げ量を極大にする側面平均角度であるから、側面平均角度θ１の基準値としてθを約７１．９度〜約７９．５度の範囲内で設定することができる。
【００３６】〈側面平均角度〉  ここで、側面平均角度とは、図３に示すように、喫水線Ｌと内壁２１（図２を併せて参照）との交点を下部内壁点５１とし、汲み上げ高さＨにおける内壁２１との交点を上部内壁点と５２したときに、下部内壁点５１と上部内壁点５２とを結ぶ直線５が水平線（例えば、喫水線Ｌ）とのなす角度をいう。
【００３７】  したがって、正面断面視で直線状に延びるテーパ形状からなる内壁２１の場合には、下部内壁点５１と上部内壁点５２とを結ぶ直線５が水平線（喫水線Ｌ）とのなす角度θが側面平均角度θ＝θ１である。
【００３８】  同様に、正面断面視で外側に膨らんだ曲面形状をなしている内壁２１Ａの場合であっても、下部内壁点５１と上部内壁点５２とを結ぶ直線５が水平線（喫水線Ｌ）とのなす角度θが側面平均角度θ＝θ１である。下部内壁点５１と上部内壁点５２とが同じであれば、テーパ形状からなる内壁２１でも曲面形状からなる内壁２１Ａであっても、側面平均角度θは同じである。
【００３９】〈喫水線〉  基本構造方程式において、喫水線Ｌの高さとは、貯水槽４に貯えられた水Ｗの高さをいう。喫水線Ｌの高さは、回転体２によって水Ｗが汲み上げられると水位も変化するが、ナノミスト発生装置１０の用途や仕様によって略一定の高さに制御される水位固定タイプ（図８（ａ）参照）と、上限水位と下限水位の間で水位が変動しながら制御される水位変動タイプ（図８（ｂ）参照）と、に分類される。
【００４０】  水位固定タイプは、図８（ａ）に示すように、回転体２によって水Ｗが汲み上げられて水位Ｌ（喫水線の高さＬ）が下がると水タンク４１内の水Ｗがタンクキャップ４２の供給穴４２ａから供給され、水位Ｌが上がりタンクキャップ４２の端面まで来て供給穴４２ａがふさがれると水の供給が止まり、水位（喫水線の高さＬ）を略一定に制御する。  水位固定タイプでは、ナノミスト発生装置１０の大きさや既知である回転体２の形状等から設定される汲み上げ高さＨと喫水線Ｌの高さとが一致するよう回転体２を貯水槽４内に配置する。
【００４１】  水位変動タイプは、図８（ｂ）に示すように、回転体２によって水Ｗが汲み上げられて水位Ｌが下がると、フロートセンサ４２ｂで下限水位Ｌ１を検知して図示しない給水管から貯水槽４内に給水を開始し、上限水位Ｌ２まで給水されたと判断したら上限水位設定手段４２ｃで給水を停止させることで下限水位Ｌ１と上限水位Ｌ２との範囲Ｌ１〜Ｌ２で水位（喫水線の高さＬ）を制御する。
【００４２】  水位変動タイプでは、前記設計汲み上げ高さＨ′における回転体２の最適な側面平均角度θに対して、変動する喫水線Ｌの高さに対応する側面平均角度θがθ±５％以内に収まるように下限水位Ｌ１と上限水位Ｌ２とを設定し、下限水位Ｌ１と上限水位Ｌ２の中間位置である喫水線Ｌと設計汲み上げ高さＨ′とが一致するよう回転体２を貯水槽４内に配置する。  ここで、下限水位Ｌ１と上限水位Ｌ２との差は小さく設定されていることが好ましい。
【００４３】  続いて、本発明の第２の実施形態に係るナノミスト発生装置１０Ｂにおける回転体構造１Ｂについて主として図４を参照しながら説明する。  第２の実施形態に係る回転体２Ｂは、内壁２１Ｂが正面断面視で外側に膨らんだ曲面形状をなしている点で、内壁２１Ａが直線状に延びるテーパ形状からなる第１の実施形態に係る回転体２Ａと相違するが、その他の構成は第１の実施形態に係るナノミスト供給装置１０Ａと同様であるので、同様である構成は同じ符号を付して詳細な説明は省略する。  第２の実施形態に係る回転体２Ｂは、上部半径Ｒ１、汲み上げ高さＨ、側面平均角度θ１を第１の実施形態に係る回転体２Ａと同じに構成している。
【００４４】  第２の実施形態に係る回転体２Ｂは、喫水線Ｌにおける下部内壁点５１では内壁２１Ｂの側面角度はθ１１であり、上端高さにおける上部内壁点５２では内壁２１Ｂの側面角度はθ１２であり、下部内壁点５１から上部内壁点５２に向かうにつれて側面角度が徐々に大きくなっている（θ１１＜θ１２）。
【００４５】  以上のように構成された本発明の実施形態に係るナノミスト発生装置１０Ａ，１０Ｂの回転体構造１Ａ，１Ｂ（上部半径Ｒ１＝３３ｍｍ、汲み上げ高さＨ＝６１ｍｍ）における動作について主として図６と図７の実験結果を参照しながら説明する。  参照する図６は、ナノミストの発生量と正の相関関係がある加湿量（ｍｌ／ｈ）について、回転体の形状（テーパ形状の回転体２Ａ、曲面形状の回転体２Ｂ）や側面平均角度θ１（６８度、７５度）がどのように影響を及ぼすかを実験して確認したものであり、（ａ）はテーパ形状の回転体２Ａにした場合、（ｂ）は曲面形状の回転体２Ｂにした場合である。  また、この場合において、ミスト飛散口２２の全体の総開口面積（穴総面積ｍｍ２）の影響を確認するため、穴総面積が９０ｍｍ２の場合と１３０ｍｍ２の場合の２種類を対比した。
【００４６】  なお、側面平均角度θ１が８０度の場合についても実験を行ったが、水Ｗの汲み上げ力が不足してナノミストの発生を計測できなかったので、側面平均角度θ１が６８度と７５度のデータのみを示す。
【００４７】  図６に示すように、加湿量（ｍｌ／ｈ）は、側面平均角度θ１が６８度よりも７５度の方が回転体２の形状によらずに発生量が多い。  また、側面平均角度θ１が７５度において、図６（ａ）に示すように、テーパ形状の回転体２Ａ（図２参照）では６６〜７０ｍｌ／ｈであるのに対し、図６（ｂ）に示すように、曲面形状の回転体２Ｂ（図４参照）では６１ｍｌ／ｈであるから、テーパ形状の回転体２Ａ（図２参照）の方が曲面形状の回転体２Ｂ（図４参照）よりも優れている。
【００４８】  一方、側面平均角度θ１が６８度において、図６（ａ）に示すように、テーパ形状の回転体２Ａ（図２参照）では５０〜５４ｍｌ／ｈであるのに対し、図６（ｂ）に示すように、曲面形状の回転体２Ｂ（図４参照）では５４ｍｌ／ｈであるから、テーパ形状の回転体２Ａ（図２参照）の方が曲面形状の回転体２Ｂ（図４参照）よりも、側面平均角度や穴総面積の影響を大きく受けることがわかる。
【００４９】  なお、側面平均角度θ１が８０度の場合には、水Ｗの汲み上げ力が不足してナノミストの発生を計測できなかったが、回転体２（２Ａ，２Ｂ）の回転速度や回転半径を大きくすれば、側面平均角度θ１が６８度、８０度よりも７５度付近（極値を示す７５．７度）が加湿量（ｍｌ／ｈ）の極大値であることが推認される。これは、前記基本構造方程式から予測した側面平均角度が最適値であることを裏付けるものである。
【００５０】  また、側面平均角度θ１が過度に小さくなると、回転体２自体の大きさが増大することでナノミスト発生装置１０全体の大きさが増大するため、器具の製造が困難になる。よって前記実験結果も踏まえて側面平均角度θ１の範囲を５０度≦θ＜８０度、より好ましくは６８度≦θ＜８０度となるよう回転体２の形状を決定する。
【００５１】  図７は、負イオン発生量（固／ｃｃ）について、回転体２の形状（テーパ形状の回転体２Ａ、曲面形状の回転体２Ｂ）や側面平均角度θ１（６８度、７５度、８０度）がどのように影響を及ぼすかを実験して確認したものであり、（ａ）は穴総面積が９０ｍｍ２の場合、（ｂ）は穴総面積が１３０ｍｍ２の場合である。
【００５２】  図７に示すように、負イオン発生量（固／ｃｃ）は、側面平均角度θ１が６８度よりも７５度の方が穴総面積によらずに発生量が多い。また、側面平均角度θ１が６８〜７５度において、曲面形状の回転体２Ｂ（図４参照）の方がテーパ形状の回転体２Ａ（図２参照）よりも優れている。これは、回転体２を曲面形状にすることで、回転体２の内壁面を垂直に押す圧縮加速度が有利に働き、ミスト飛散口２２から飛び出すミストの速度が増大し、ミスト飛散口２２の外周に配設された多孔体２３への衝突、さらに多孔体２３の外周側に配設された器体壁（図示しない）への衝突により、水微細力が増大したことが原因だと推認される。
【００５３】  また、テーパ形状の回転体２Ａ（図２参照）では、図７（ａ）に示すように、側面平均角度θ１が７５度において、穴総面積が９０ｍｍ２の場合には、９５００（固／ｃｃ）であるのに対し、図７（ｂ）に示すように、穴総面積が１３０ｍｍ２の場合には、約８３００（固／ｃｃ）であるから、テーパ形状の回転体２Ａ（図２参照）の方が曲面形状の回転体２Ｂ（図４参照）よりも穴総面積の影響をより大きく受ける。
【００５４】  なお、図６に示す加湿量（ｍｌ／ｈ）と同様に、回転体２（２Ａ，２Ｂ）の回転速度や回転半径を大きくすれば、側面平均角度θ１が６８度、８０度よりも７５度付近（極値を示す７５．７度）が負イオン発生量（固／ｃｃ）の極大値であることが推認される。
【００５５】  これは、前記基本構造方程式から予測した側面平均角度が最適値であることを裏付けるものである。また、側面平均角度θ１が過度に小さくなると、回転体２自体の大きさが増大することでナノミスト発生装置１０全体の大きさが増大するため、器具の製造が困難になる。よって前記実験結果も踏まえて側面平均角度θ１の範囲を５０度≦θ＜８０度、より好ましくは６８度≦θ＜８０度となるよう回転体２の形状を決定する。
【００５６】  以上より、本発明の実施形態に係るナノミスト発生装置１０（１０Ａ，１０Ｂ）における回転体構造１（１Ａ，１Ｂ）は、デザイン上の要請等から上部半径Ｒ１と汲み上げ高さＨが設定されている場合には、基本構造方程式を満たす側面平均角度θを求めることで、側面上昇加速度が極値となる側面平均角度θを導出して、水の汲み上げ量を極大にすることができる。
【００５７】  このため、側面平均角度θ１をθの±５％以内に設定すれば、水Ｗの汲み上げ量を極大にする側面平均角度θ１を適正に設定することができるため、ナノミストの発生量と正の相関関係がある加湿量と負イオンの発生量を極大化することができる。
【００５８】  以上、本発明の実施形態について説明したが、本発明は、前記した実施形態に限定されず、適宜変形して実施することが可能である。例えば、本実施形態においては、側面上昇加速度が極値となる側面平均角度θ（７５．７度）に対して、側面平均角度θ１を７５．７度の±５％以内（約７１．９度〜約７９．５度）に設定したが、より好適な±３％以内に設定したり、内壁面の摩擦抵抗、回転半径、汲み上げ高さ等の影響を考慮して、適宜−５％から＋３％の範囲内に設定したりすることもできる。
【符号の説明】
【００５９】  １，１Ａ，１Ｂ      回転体構造  ２，２Ａ，２Ｂ      回転体  ３      モータ  ４      貯水槽  １０，１０Ａ，１０Ｂナノミスト発生装置  ２１，２１Ａ，２１Ｂ    内壁  ２２    ミスト飛散口  ２３    多孔体  ４１    水タンク  ４２    タンクキャップ  ４２ａ  供給穴  ４２ｂ  フロートセンサ  ４２ｃ  上限水位設定手段  ５１    下部内壁点  ５２    上部内壁点  Ｌ      喫水線  Ｌ１    下限水位  Ｌ２    上限水位  Ｒ      内壁半径  Ｒ１    上部半径  Ｒ２    下部半径  Ｗ      水
【図１】
0006535334.tif 000002
【図２】
0006535334.tif 000003
【図３】
0006535334.tif 000004
【図４】
0006535334.tif 000005
【図５】
0006535334.tif 000006
【図６】
0006535334.tif 000007
【図７】
0006535334.tif 000008
【図８】
0006535334.tif 000009